(57)【特許請求の範囲】
【請求項１】
海洋のＣＯ２を吸収したプランクトンを海水と共に捕集し水分を分離することで前記プランクトンを回収し海水のＣＯ２分圧を低下させる回収手段と、
前記回収手段で回収された前記プランクトンを地中に送ることで前記プランクトンを隔離する隔離手段とを備えた
ことを特徴とする海中プランクトンの回収・隔離によるＣＯ２削減システム。
【請求項２】
請求項１に記載の海中プランクトンの回収・隔離によるＣＯ２削減システムにおいて、
前記回収手段は、海水と共に捕集した前記プランクトンをこし分ける繊毛状のろ過部材を備えた
ことを特徴とする海中プランクトンの回収・隔離によるＣＯ２削減システム。
【請求項３】
請求項２に記載の海中プランクトンの回収・隔離によるＣＯ２削減システムにおいて、
前記回収手段は船舶に備えられ、
前記船舶の航行中に海水と共に前記プランクトンを捕集して前記ろ過部材により前記プランクトンをこし分けて回収し、前記船舶の停泊中にこし分けられた前記プランクトンを前記隔離手段により地中に隔離する
ことを特徴とする海中プランクトンの回収・隔離によるＣＯ２削減システム。
【請求項４】
請求項３に記載の海中プランクトンの回収・隔離によるＣＯ２削減システムにおいて、
前記船舶は航行時にＣＯ２を大気中に放出する船舶であり、
ＣＯ２が吸収された前記プランクトンを回収して地中に隔離し、回収・隔離した前記プランクトンのＣＯ２により航行中に大気に排出するＣＯ２を相対的に減少させる
ことを特徴とする海中プランクトンの回収・隔離によるＣＯ２削減システム。
【請求項５】
請求項１から請求項４のいずれか一項に記載の海中プランクトンの回収・隔離によるＣＯ２削減システムにおいて、
前記プランクトンの増殖を促進させるための海洋施肥手段を備えた
ことを特徴とする海中プランクトンの回収・隔離によるＣＯ２削減システム。
【請求項６】
請求項１から請求項５のいずれか一項に記載の海中プランクトンの回収・隔離によるＣＯ２削減システムにおいて、
前記プランクトンが送られる地中は試掘井または廃油井である
ことを特徴とする海中プランクトンの回収・隔離によるＣＯ２削減システム。
【請求項７】
請求項１から請求項５のいずれか一項に記載の海中プランクトンの回収・隔離によるＣＯ２削減システムにおいて、
前記プランクトンが送られる地中は帯水層である
ことを特徴とする海中プランクトンの回収・隔離によるＣＯ２削減システム。
【請求項８】
請求項１から請求項５のいずれか一項に記載の海中プランクトンの回収・隔離によるＣＯ２削減システムにおいて、
前記プランクトンが送られる地中は海底下地層である
ことを特徴とする海中プランクトンの回収・隔離によるＣＯ２削減システム。
【発明の詳細な説明】
【技術分野】
【０００１】
本発明は、海中の植物プランクトンや動物プランクトンを回収して隔離することによりＣＯ２を削減するシステムに関する。
【背景技術】
【０００２】
近年、地球温暖化が問題視されてきており、温暖化の主要原因である大気中のＣＯ２の濃度上昇を抑制するための具体的な政策が求められてきている。ＣＯ２の濃度上昇を抑制するために、ＣＯ２の排出規制や、排出権取引、ＣＯ２の回収・貯留・隔離等が種々考えられている。従来から、ＣＯ２の吸収に有用とされる海中の植物プランクトンを増殖させる技術が種々提案されている（例えば、特許文献１参照）。
【０００３】
光合成により植物プランクトンが増殖することで海中のＣＯ２の分圧が低下し、大気中のＣＯ２が海中に吸収されやすくなる。この結果、植物プランクトンを増殖させることで、特別なエネルギーを用いることなく太陽エネルギーにより大気中のＣＯ２の濃度上昇を抑制することができると考えられる。
【０００４】
ＣＯ２を吸収した植物プランクトンはゆっくりと沈んで海底にＣＯ２を運び、また、植物プランクトンを食べる動物プランクトンのＣＯ２を含む排泄物も海底に沈んで海底にＣＯ２を運ぶ。これにより、生物ポンプの働きによりＣＯ２が海底に堆積・沈積し、深い海中にＣＯ２が隔離される。
【０００５】
しかし、ＣＯ２を運ぶ海中プランクトンは死滅・遺骸となり、海底に沈む過程で分解によりＣＯ２が海中に放出されているのが現状である。このため、海底への堆積・沈積によるＣＯ２の隔離では、海中に隔離されるＣＯ２は限られた量になり、ＣＯ２削減の大きな効果が期待できないのが現状である。
【先行技術文献】
【特許文献】
【０００６】
【特許文献１】特開２００４−３５０６２７号公報
【発明の概要】
【発明が解決しようとする課題】
【０００７】
本発明は上記状況に鑑みてなされたもので、増殖によりＣＯ２を取り込んだ海中の植物プランクトンや動物プランクトンを回収して隔離することで、ＣＯ２を確実に削減することができる海中プランクトンの回収・隔離によるＣＯ２削減システムを提供することを目的とする。
【課題を解決するための手段】
【０００８】
上記目的を達成するための請求項１に係る本発明の海中プランクトンの回収・隔離によるＣＯ２削減システムは、海洋のＣＯ２を吸収したプランクトンを海水と共に捕集し水分を分離することで前記プランクトンを回収し海水のＣＯ２分圧を低下させる回収手段と、前記回収手段で回収された前記プランクトンを地中に送ることで前記プランクトンを隔離する隔離手段とを備えたことを特徴とする。
【０００９】
請求項１に係る本発明では、回収手段によりプランクトンを回収することで、増殖によりＣＯ２が取り込まれている状態のプランクトンを回収して海水のＣＯ２分圧を低下させ、ＣＯ２を吸収した回収プランクトンを隔離手段により地中に送り隔離する。このため、ＣＯ２を確実に削減することができる。
【００１０】
プランクトンとは、海中の植物プランクトン及び植物プランクトンを食べる動物プランクトンの総称である。また、地中とは、陸地の地中や海底下地層を総称したもので、水が枯れた井戸等の既存の穴や、油田用に掘削した穴等を含む。
【００１１】
回収手段としては、植物プランクトンや動物プランクトンを海水から分離するろ過部材を用いたり、植物プランクトンや動物プランクトンを含む海水に凝集剤を添加してフロック化し、脱水処理を行ってプランクトンを分離回収する手段を用いることが可能である。
【００１２】
また、回収したプランクトンはスラリー状になり通常のポンプでは輸送が困難になるため、隔離手段として、回収したプランクトンを輸送するためのモーノポンプを適用することが好ましい。これにより、プランクトンはモーノポンプにより容易に輸送され、陸上の地中、海底下地層に隔離される。プランクトンを海底下地層に隔離することにより、ＣＣＳ（ＣＯ２の海底下貯留）の技術を応用することができる。
【００１３】
そして、請求項２に係る本発明の海中プランクトンの回収・隔離によるＣＯ２削減システムは、請求項１に記載の海中プランクトンの回収・隔離によるＣＯ２削減システムにおいて、前記回収手段は、海水と共に捕集した前記プランクトンをこし分ける繊毛状のろ過部材を備えたことを特徴とする。
【００１４】
請求項２に係る本発明では、繊毛状のろ過部材によりプランクトンをこし分けるので、プランクトンの回収を容易に行うことができる。
【００１５】
また、請求項３に係る本発明の海中プランクトンの回収・隔離によるＣＯ２削減システムは、請求項２に記載の海中プランクトンの回収・隔離によるＣＯ２削減システムにおいて、前記回収手段は船舶に備えられ、前記船舶の航行中に海水と共に前記プランクトンを捕集して前記ろ過部材により前記プランクトンをこし分けて回収し、前記船舶の停泊中にこし分けられた前記プランクトンを前記隔離手段により地中に隔離することを特徴とする。
【００１６】
請求項３に係る本発明では、船舶の航行中にプランクトンを回収し、回収したプランクトンを停泊中に地中に隔離することができる。
【００１７】
また、請求項４に係る本発明の海中プランクトンの回収・隔離によるＣＯ２削減システムは、請求項３に記載の海中プランクトンの回収・隔離によるＣＯ２削減システムにおいて、前記船舶は航行時にＣＯ２を大気中に放出する船舶であり、ＣＯ２が吸収された前記プランクトンを回収して地中に隔離し、回収・隔離した前記プランクトンのＣＯ２により、航行中に大気に排出するＣＯ２を相対的に減少させることを特徴とする。
【００１８】
請求項４に係る本発明では、回収・隔離したプランクトンに吸収されたＣＯ２により、航行中に大気に排出するＣＯ２が相対的に減少し、大気中に放出するＣＯ２を減少させた状態で船舶を航行させることができ、環境に対するダメージを大幅に減らした船舶とすることができる。
【００１９】
また、請求項５に係る本発明の海中プランクトンの回収・隔離によるＣＯ２削減システムは、請求項１から請求項４のいずれか一項に記載の海中プランクトンの回収・隔離によるＣＯ２削減システムにおいて、前記プランクトンの増殖を促進させるための海洋施肥手段を備えたことを特徴とする。
【００２０】
請求項５に係る本発明では、海洋施肥手段により植物プランクトンの生産を増大させることができ、海中のＣＯ２の吸収を促進して回収・隔離するＣＯ２を多くすることができる。海洋施肥手段としては、微量栄養塩である鉄化合物もしくは硝酸、アンモニア、リン酸を添加して植物プランクトンを増加させる施肥、深層栄養塩類を海面に供給して植物プランクトンを増加させる肥沃化等を適用することができる。
【００２１】
また、請求項６に係る本発明の海中プランクトンの回収・隔離によるＣＯ２削減システムは、請求項１から請求項５のいずれか一項に記載の海中プランクトンの回収・隔離によるＣＯ２削減システムにおいて、前記プランクトンが送られる地中は試掘井または廃油井であることを特徴とする。
【００２２】
請求項６に係る本発明では、ＣＯ２を吸収したプランクトンを試掘井または廃油井に隔離することができ、既存の深い地中部位にＣＯ２を隔離することができ、ＣＯ２を隔離するための穴等を新たに掘削する必要がない。
【００２３】
また、請求項７に係る本発明の海中プランクトンの回収・隔離によるＣＯ２削減システムは、請求項１から請求項５のいずれか一項に記載の海中プランクトンの回収・隔離によるＣＯ２削減システムにおいて、前記プランクトンが送られる地中は帯水層であることを特徴とする。
【００２４】
請求項７に係る本発明では、ＣＯ２を吸収したプランクトンを地中の浸透層における地下水が飽和している帯水層に隔離することができる。
【００２５】
また、請求項８に係る本発明の海中プランクトンの回収・隔離によるＣＯ２削減システムは、請求項１から請求項５のいずれか一項に記載の海中プランクトンの回収・隔離によるＣＯ２削減システムにおいて、前記プランクトンが送られる地中は海底下地層であることを特徴とする。
【００２６】
請求項８に係る本発明では、ＣＯ２を吸収したプランクトンを海底下地層に隔離することができ、ＣＣＳ（ＣＯ２の海底下貯留）の技術を応用することができる。
【発明の効果】
【００２７】
本発明の海中プランクトンの回収・隔離によるＣＯ２削減システムは、ＣＯ２を吸収したプランクトンを回収・隔離することによりＣＯ２を確実に削減することが可能になる。
【図面の簡単な説明】
【００２８】
【図１】本発明の一実施例に係る海中プランクトンの回収・隔離によるＣＯ２削減システムの概略構成図である。
【図２】繊毛状のろ過部材の概念図である。
【図３】他の実施例の概略構成図である。
【図４】他の実施例の概略構成図である。
【図５】他の実施例の概略構成図である。
【図６】海洋施肥手段の概略構成図である。
【図７】地中隔離の説明図である。
【図８】地中隔離の説明図である。
【図９】ＣＯ２削減システムの運用状況の説明図である。
【発明を実施するための形態】
【００２９】
図１、図２に基づいてＣＯ２削減システムの概略を説明する。図１には本発明の一実施例に係る海中プランクトンの回収・隔離によるＣＯ２削減システムを系統化して説明するための概略構成、図２には植物プランクトンをこし分ける繊毛状のろ過部材、具体的には、櫛状のひげ板をなす鯨ひげ状のろ過部材の外観を概略的に示してある。
【００３０】
図１に示すように、光合成を担うプランクトンとしての植物プランクトン１（植物プランクトンを食べる動物プランクトンを含む）は海中のＣＯ２を吸収した状態で生息（増殖）し、植物プランクトン１が生息する領域の海水２が図示しないポンプ等により汲み上げられて回収容器３に投入される。回収容器３には、植物プランクトン１をこし分ける繊毛状のろ過部材４が備えられている（回収手段）。ろ過部材４で植物プランクトン１がこし分けけられた後の海水２は、回収容器３の下部に貯められて海中に排出される。
【００３１】
図２に示すように、ろ過部材４は、櫛状のひげ板をなす鯨ひげ状のろ過部材４とされ、鯨ひげ状の部位で海水２をろ過し植物プランクトン１だけを捕捉する。即ち、鯨がひげの部位でオキアミを捕捉する場合と同じ状態で植物プランクトンを捕捉する。海水２と共に捕集した植物プランクトン１をこし分ける繊毛状のろ過部材４を用いたことにより、植物プランクトン１の回収を容易に行うことができる。
【００３２】
上述した実施例では、海水２を汲み上げてろ過部材４で植物プランクトン１を捕捉しているが、船舶等でろ過部材４を曳航し、海中の植物プランクトン１を直接捕捉することも可能である。
【００３３】
一方、図１に示すように、ろ過部材４でこし分けられた植物プランクトン１は、ＣＯ２が吸収された状態のまま回収されて隔離手段５により陸地６の地中に送られ、植物プランクトン１は吸収されたＣＯ２と共に地中に隔離される。地中としては、燃料を取り出したあとの油田の空隙（廃油井）や、油田の試掘を行ったあとの空隙（試掘井）等を適用することができる。
【００３４】
つまり、地中としては、ＣＯ２が吸収された植物プランクトン１が大気に触れず分解されない、または、分解されても地上に出ることがない場所が適用される。油田の空隙等を適用することにより、既存の地中の空隙を利用してＣＯ２を地中に隔離することができる。
【００３５】
植物プランクトン１の回収は、植物プランクトン１が捕捉されたろ過部材４を回収して粉砕し、隔離手段５により地中に送られる。また、エア等によりろ過部材４から植物プランクトン１を分離し、分離した植物プランクトン１を隔離手段５により地中に送ることも可能である。
【００３６】
隔離手段５としては、例えば、軸方向に断面形状が連続的に変化するステータの内部で偏心状態のロータを回転させ、スラリー状の搬送物を軸方向に圧送するモーノポンプや、ねじ状のスクリューを回転させてスラリー状の搬送物を軸方向に移送するスクリューポンプ等を適用することができる。
【００３７】
上述したＣＯ２削減システムでは、ろ過部材４により植物プランクトン１をこし分けて捕捉し、回収された植物プランクトン１は吸収されたＣＯ２と共に地中（油田の空隙等）に隔離されるので、植物プランクトン１に取り込まれたＣＯ２を海水２に放出させることなくＣＯ２を直接隔離することができる。また、海中における海水２のＣＯ２分圧を低下させることができる。
【００３８】
このため、ＣＯ２を吸収した植物プランクトン１を回収・隔離してＣＯ２を確実に削減することが可能になる。また、分圧が低下した海中における海水２に大気中のＣＯ２を吸収させることができ、大気中のＣＯ２の濃度上昇を抑制することができる。つまり、植物プランクトン１によるＣＯ２の削減を実用的なものにすることが可能になる。
【００３９】
図３から図５に基づいてＣＯ２削減システムの他の実施例を説明する。図３にはプランクトンネットを用いた回収手段、図４には板状フィルタを用いた回収手段、図５には凝集剤を用いた回収手段を示してある。尚、図１に示した部材と同一部材には同一符号を付してある。
【００４０】
プランクトンネットを用いた回収手段を説明する。
【００４１】
図３に示すように、植物プランクトン１が生息する領域の海水２が図示しないポンプ等により汲み上げられて回収容器１１に投入される。回収容器１１にはプランクトンネット１２の仕切りが設けられ、投入された海水２をプランクトンネット１２に通過させることで植物プランクトン１がプランクトンネット１２上に分離する。プランクトンネット１２で植物プランクトン１が分離された後の海水２は、回収容器１１の下部に貯められて海中に排出される。
【００４２】
そして、プランクトンネット１２で分離された植物プランクトン１は、図１に示したＣＯ２削減システムと同様に、ＣＯ２が吸収された状態のまま隔離手段５により陸地６の地中に送られ、植物プランクトン１は吸収されたＣＯ２と共に地中に隔離される。このため、植物プランクトン１に取り込まれたＣＯ２を海水２に放出させることなくＣＯ２を直接隔離することができる。また、海中における海水２のＣＯ２分圧を低下させることができる。このため、ＣＯ２を吸収した植物プランクトン１を回収・隔離してＣＯ２を確実に削減することが可能になる。また、分圧が低下した海中における海水２に大気中のＣＯ２を吸収させることができ、大気中のＣＯ２の濃度上昇を抑制することができる。
【００４３】
上述した実施例では、海水２を汲み上げてプランクトンネット１２で植物プランクトン１を分離しているが、船舶等でプランクトンネット１２を曳航し、海中の植物プランクトン１を直接捕捉することも可能である。
【００４４】
板状フィルタを用いた回収手段を説明する。
【００４５】
図４に示すように、植物プランクトン１が生息する領域の海水２が図示しないポンプ等により汲み上げられて回収容器１５の投入口１６に投入される。回収容器１５の開口上面にはフィルタ板１７が備えられ、フィルタ板１７は投入口１６に対応する部位から下方に傾斜している。投入口１６と反対側のフィルタ板１７の側部（傾斜下側）には回収部１８が設けられている。
【００４６】
投入口１６に海水２が投入されることで、植物プランクトン１がフィルタ板１７で分離される。フィルタ板１７上に分離された植物プランクトン１はフィルタ板１７の上を流れ落ちて回収部１８に回収される。フィルタ板１７には、植物プランクトン１が流れやすくするため、必要に応じて水（海水）がシャワー状に噴射される。植物プランクトン１が分離された後の海水２は、回収容器１５の下部に貯められて海中に排出される。
【００４７】
回収部１８に回収された植物プランクトン１は、図１に示したＣＯ２削減システムと同様に、ＣＯ２が吸収された状態のまま隔離手段５により陸地６の地中に送られ、植物プランクトン１は吸収されたＣＯ２と共に地中に隔離される。このため、植物プランクトン１に取り込まれたＣＯ２を海水２に放出させることなくＣＯ２を直接隔離することができる。また、海中における海水２のＣＯ２分圧を低下させることができる。このため、ＣＯ２を吸収した植物プランクトン１を回収・隔離してＣＯ２を確実に削減することが可能になる。また、分圧が低下した海中における海水２に大気中のＣＯ２を吸収させることができ、大気中のＣＯ２の濃度上昇を抑制することができる。
【００４８】
凝集剤を用いた回収手段を説明する。
【００４９】
図５に示すように、植物プランクトン１が生息する領域の海水２が図示しないポンプ等により汲み上げられて回収容器２１に投入される。回収容器２１には凝集剤が供給され、回収容器２１に植物プランクトン１を含む凝集物２２が形成される。凝集物２２は脱水手段２３により脱水され、植物プランクトン１が分離される。
【００５０】
脱水手段２３で脱水分離された植物プランクトン１は、図１に示したＣＯ２削減システムと同様に、ＣＯ２が吸収された状態のまま隔離手段５により陸地６の地中に送られ、植物プランクトン１は吸収されたＣＯ２と共に地中に隔離される。このため、植物プランクトン１に取り込まれたＣＯ２を海水２に放出させることなくＣＯ２を直接隔離することができる。また、海中における海水２のＣＯ２分圧を低下させることができる。このため、ＣＯ２を吸収した植物プランクトン１を回収・隔離してＣＯ２を確実に削減することが可能になる。また、分圧が低下した海中における海水２に大気中のＣＯ２を吸収させることができ、大気中のＣＯ２の濃度上昇を抑制することができる。
【００５１】
図６から図８に基づいて、上述したＣＯ２削減システムの具体的な適用の状況を説明する。
【００５２】
図６には深層水を表層に汲み上げることで海洋の施肥を行う手段の概略、図７には船舶から陸地の地中（廃油井）に植物プランクトンを隔離する状態、図８には船舶から海底の地中（海底下地層）に植物プランクトンを隔離する状態を示してある。
【００５３】
図６に示すように、ＣＯ２削減システム３０は海上を航行する船舶３１に搭載される。植物プランクトン１の生産を増大させるため、海洋の表層を肥沃化する海洋施肥手段３２が用いられる。海洋施肥手段３２は、表層から深層水３３の部位に達する汲み上げ管２５を備えている。汲み上げ管２５の外部の暖かい海水から熱を受けて（図中白抜き矢印で示してある）汲み上げ管２５内の深層水３３を温め、浮力により深層水３３が表層に汲み上げられる。
【００５４】
つまり、海洋の温度差と塩分差で深層水３３を表層に汲み上げて肥沃化する。尚、駆動ポンプ等を用いて深層水３３を直接汲み上げることも可能である。
【００５５】
海洋施肥手段３２によって海洋の表層が肥沃化されることにより、植物プランクトン１の生産が増大する。肥沃化された海域に船舶３１を航行させ、または、海洋施肥手段３２を船舶３１で輸送して所望の海域で肥沃化を実施する。肥沃化により多くの植物プランクトン１が生産された海域で、植物プランクトン１を海水２と共に船舶３１のＣＯ２削減システム３０に投入することができる。
【００５６】
尚、海洋施肥手段３２により深層水３３を汲み上げると共に、鉄（鉄化合物）を散布して海水の鉄分を補い、海洋の表層を肥沃化して植物プランクトン１を増殖させることができる。また、海洋施肥手段３２に代えて、鉄化合物、硝酸、アンモニア、リン酸を添加して植物プランクトン１を増加させる施肥を実施することも可能である。
【００５７】
図７に示すように、船舶３１で回収した植物プランクトン１は、船舶３１の航行により陸地６に運ばれ、吸収されたＣＯ２と共に地中である廃油井５１に隔離される。陸地６からパイプライン等を通して地中の浸透層における地下水が飽和している帯水層に運んで隔離することができる。
【００５８】
また、図８に示すように、船舶３１で回収した植物プランクトン１は、船舶３１の航行により所定の海域に運ばれ、海中パイプライン５２等により海底３６の海底下地層５３に隔離される。海底下地層５３にＣＯ２を吸収した植物プランクトン１を隔離することで、海底下地層５３の壁面等の塩害を考慮する必要がない。
【００５９】
ＣＯ２削減システムの他の適用例として、植物プランクトン１が季節により自然に増殖する現象や、自然により赤潮が発生する現象を適用することも可能である。
【００６０】
つまり、日本近海では、冬の間に季節風等の影響で海水が攪拌されたり、岸に沿って流れる海流による上昇流等の影響により、海洋の表層に栄養塩が運ばれる。そして、春に植物プランクトン１の光合成活動が盛んになる結果、植物プランクトン１が自然に爆発的に増殖する現象（植物プランクトンブルーム）が知られている。このような現象を捉えて、植物プランクトン１が自然に増殖した時季、海域に応じて船舶３１を航行させ、自然に増殖した植物プランクトン１を海水２と共に船舶３１のＣＯ２削減システム３０に投入することができる。同様に、自然により発生した赤潮の海域に船舶３１を航行させ、海水２と共に船舶３１のＣＯ２削減システム３０に投入することができる。
【００６１】
植物プランクトンブルームや赤潮の発生現象を適用することで、自然に増殖したプランクトンを回収してＣＯ２を削減することができる。
【００６２】
上述した適用例は、植物プランクトンを回収する目的で船舶３１を航行させることを想定しているが、定期航路上に増殖している植物プランクトンを回収することも可能である。図９に基づいて定期航路を航行する船舶３１によるＣＯ２削減システム３０の具体的な運用状況の一例を説明する。
【００６３】
船舶３１は、ＣＯ２を大気中に放出しながら目的地に向かって定期航路上を航行する。この時、植物プランクトン１の有無に拘わらず海水２を汲み上げ・排水しながら航行する（ａ）。植物プランクトンが増殖している海域と定期航路が重なると、海水２が汲み上げられることでＣＯ２削減システム３０により植物プランクトン１が回収され、海水２だけが排水されて航行することになり、航路上の海域の海水２のＣＯ２の分圧が低下し、大気中のＣＯ２が海中に吸収される（ｂ）。
【００６４】
植物プランクトンが増殖している海域から外れて目的地まで航行する過程で、植物プランクトン１の有無に拘わらず海水２を汲み上げ・排水しながら、また、船舶３１はＣＯ２を大気中に放出しながら航行する（ｃ）。そして、目的地（寄港地）の陸地６の地中にＣＯ２を吸収した植物プランクトン１が隔離される（ｄ）。
【００６５】
尚、植物プランクトン１の増殖の有無を評価できる船舶３１であれば、植物プランクトン１が増殖している海域と定期航路が重なる海域でだけ海水２の汲み上げ・排水を実施し、その他の航路では海水２の汲み上げ・排水を停止することも可能である。
【００６６】
これにより、定期航路を航行中にはＣＯ２が大気中に放出される一方（ａ、ｃ）、植物プランクトン１が増殖している海域で植物プランクトン１を回収したことにより大気中のＣＯ２が海中に吸収され（ｂ）、ＣＯ２を吸収した植物プランクトン１がＣＯ２と共に目的地の陸地６の地中に隔離される（ｄ）。このため、回収されて隔離された植物プランクトン１のＣＯ２により、定期航路を航行するために大気に排出されたＣＯ２が相対的に減少する。
【００６７】
従って、回収・隔離した植物プランクトン１に吸収されたＣＯ２により、定期航路を航行中に船舶３１から大気に排出されるＣＯ２が相対的に減少し、大気中に放出するＣＯ２を減少させた状態で船舶３１を航行させることができ、環境に対するダメージを大幅に減らした船舶３１とすることができる。
【産業上の利用可能性】
【００６８】
本発明は、海中の植物プランクトンや動物プランクトンを回収して隔離することによりＣＯ２を削減するシステムの産業分野で利用することができる。
【符号の説明】
【００６９】
１  植物プランクトン
２  海水
３、１１、１５、２１  回収容器
４  ろ過部材
５  隔離手段
６  陸地
１２  プランクトンネット
１６  投入口
１７  フィルタ板
１８  回収部
２２  凝集物
２３  脱水手段
３０  ＣＯ２削減システム
３１  船舶
３２  海洋施肥手段
３３  深層水
３６  海底
５１  廃油井
５２  海中パイプライン
５３  海底下地層
【図１】
0005510953.tif 000002
【図２】
0005510953.tif 000003
【図３】
0005510953.tif 000004
【図４】
0005510953.tif 000005
【図５】
0005510953.tif 000006
【図６】
0005510953.tif 000007
【図７】
0005510953.tif 000008
【図８】
0005510953.tif 000009
【図９】
0005510953.tif 000010